(57)【要約】【解決手段】第１の端部と第２の端部とを有するハンドル棒（２）と、このハンドル棒（２）の空洞内に設けられ、少なくとも一つの偏心体（８）にモータ軸（７）を介して連結されたモータ（６）と、を備え、偏心体（８）が偏心していることにより振動する筋刺激装置（１）に関する。本発明によれば、一つ以上の偏心体（８）が、ハンドル棒（２）の第１の端部から、ハンドル棒（２）の第２の端部からの距離とは異なる距離に位置する共通の重心を有している。本発明は、さらに、このような筋刺激装置のための交換自在なヘッドにも関連している。
2009520529.tif 000002
【特許請求の範囲】
【請求項１】
第１の端部と第２の端部とを有するハンドル棒（２）と、
このハンドル棒（２）の空洞内に設けられ、少なくとも一つの偏心体（８）にモータ軸（７）を介して連結されたモータ（６）と、を備え、
偏心体（８）が偏心していることにより振動し、
一つ以上の偏心体（８）が、ハンドル棒（２）の第１の端部から、ハンドル棒（２）の第２の端部からの距離とは異なる距離に位置する共通の重心を有していることを特徴とする筋刺激装置（１）。
【請求項２】
ヘッド（３）は、ハンドル帽（２）の第１の端部に材料結合によって取り付けられていることを特徴とする請求項１に記載の筋刺激装置。
【請求項３】
連結部材（４）が、交換自在なヘッド（５）を取り付けるためにハンドル棒（２）の第２の端部に設けられることを特徴とする請求項１または２に記載の筋刺激装置。
【請求項４】
ハンドル棒（２）の連結部材（４）に対応する対応部を特徴付ける交換自在なヘッド（５）が設けられたことを特徴とする請求項３に記載の筋刺激装置。
【請求項５】
交換自在なヘッド（５）は、マッサージヘッドであり、
マッサージヘッド（５）の使用目的に応じて、マッサージヘッド（５）を押し付けている身体の部分にハンドル棒（２）の振動が伝わることを特徴とする請求項４に記載の筋刺激装置。
【請求項６】
連結部材（４）に、交換自在なヘッド（５）の対応部としてのプラグ接続部が形成されることを特徴とする請求項３乃至５のいずれかに記載の筋刺激装置。
【請求項７】
連結部材（４）に、交換自在なヘッド（５）の対応部としてのバイオネット接続、とりわけバイオネットロックが形成されることを特徴とする請求項３乃至６のいずれかに記載の筋刺激装置。
【請求項８】
連結部材（４）に、交換自在なヘッド（５）の対応部としてのネジ連結部が形成されることを特徴とする請求項３乃至７のいずれかに記載の筋刺激装置。
【請求項９】
ハンドル棒（２）の第１の端部を介して電源が接続され、好ましくは、電源ケーブル（１３）が、第１の端部から外部へ貫通する、またはプラグ接続部が第１の端部に設けられて電源ケーブル（１３）に接続されることを特徴とする請求項１乃至８のいずれかに記載の筋刺激装置。
【請求項１０】
第１の端部、または取り付けられたヘッド（３）の前面を介して電源が接続され、好ましくは、電源ケーブル（１３）は前面から外部へ貫通する、またはプラグ接続部が前面に設けられて電源ケーブル（１３）に接続されることを特徴とする請求項９に記載の筋刺激装置。
【請求項１１】
モータ（６）に電源を供給する電池を収容する電池ケースが設けられたことを特徴とする請求項９または１０に記載の筋刺激装置。
【請求項１２】
偏心体（８）の重心とハンドル棒（２）の第１の端部との間の距離は、この偏心体（８）の重心とハンドル棒（２）の第２の端部との間の距離に対して、少なくとも２０％、好ましくは少なくとも４０％、とりわけ好ましくは少なくとも７５％、特に少なくとも１００％異なっていることを特徴とする請求項１乃至１１のいずれかに記載の筋刺激装置。
【請求項１３】
偏心体（８）の重心は、ハンドル棒（２）の第２の端部に近接して配置されていることを特徴とする請求項１乃至１２のいずれかに記載の筋刺激装置。
【請求項１４】
偏心体（８）は、とりわけ一つだけの偏心体が、モータ（６）のうちハンドル棒（２）の第２の端部を向く側に設けられることを特徴とする請求項１乃至１３のいずれかに記載の筋刺激装置。
【請求項１５】
偏心体（８）の長さ、すなわち偏心体の全長は、ハンドル棒（２）の長さの少なくとも１０％、好ましくは１５％乃至５０％、とりわけ好ましくは２０％乃至４０％、特に２５％乃至３５％であることを特徴とする請求項１乃至１４のいずれかに記載の筋刺激装置。
【請求項１６】
モータ（６）と偏心体（８）との間にブラケット（１０）が設けられ、偏心体（８）により生じた偏心モーメントがハンドル棒（２）に伝わることを特徴とする請求項１乃至１５のいずれかに記載の筋刺激装置。
【請求項１７】
偏心体（８）のうちモータ（６）から離れる方向の側にブラケット（１１）が設けられ、偏心体（８）により生じた偏心モーメントがハンドル棒（２）に伝わることを特徴とする請求項１乃至１６のいずれかに記載の筋刺激装置。
【請求項１８】
モータ軸（７）は、偏心体（８）に対して、ネジ部（１２）、好ましくはグラブネジによって連結されていることを特徴とする請求項１乃至１７のいずれかに記載の筋刺激装置。
【請求項１９】
偏心体（８）の幾何学的な回転軸からこの偏心体（８）の慣性主軸の距離が、使用時に偏心体（８）が動く円形領域の半径の３０％と８０％との間、好ましくは、この半径の３５％と７０％との間、とりわけ好ましくは４０％と６０％との間、特に４０％と５０％との間にあることを特徴とする請求項１乃至１８のいずれかに記載の筋刺激装置。
【請求項２０】
ハンドル棒（２）にクランプ（２０）が取り付けられ、トレーニング装置、特に弾性バンドまたは引張装置に固定されていることを特徴とする請求項１乃至１９のいずれかに記載の筋刺激装置。
【請求項２１】
請求項１乃至２０のいずれかに記載の筋刺激装置（１）用の交換自在なヘッド。
【請求項２２】
筋刺激装置（１）に固定するために、筋刺激装置（１）のハンドル棒（２）の第２の端部に設けられた連結部材（４）に対応する対応部が設けられたことを特徴とする請求項２１に記載の交換自在なヘッド。
【発明の詳細な説明】
【技術分野】
【０００１】
本発明は第１の端部と第２の端部とを有するハンドル棒と、このハンドル棒の空洞内に設けられ、少なくとも一つの偏心体にモータ軸を介して連結されたモータとを備え、偏心体が偏心していることにより振動する筋刺激装置に関する。
【背景技術】
【０００２】
モータおよび２つの偏心体がダンベル棒の端部に対して対称的に設けられて振動する棒を有するダンベルが、ＤＥ１９５３２２５４Ｃ１により知られている。偏心体を回転させることによりダンベル棒が振動し、この場合、ダンベル棒に取り付けられたディスク形状のおもりは、振動吸収体の中間層によってダンベル棒の振動から切り離されている。この種のダンベルを用いてトレーニングをしている間、ダンベル棒の振動が使われている筋肉の部分に伝達され、動きに協調して神経を刺激している。このことにより、従来のダンベルを用いたトレーニングよりも筋肉を早く鍛え上げることができ、けいれんの発生に対抗することができるようになる。
【発明の開示】
【０００３】
ＤＥ１９５３２２５４Ｃ１により知られているダンベルは、二頭筋および三頭筋を加速的に鍛え上げるためのトレーニング装置として適している。しかしながら、使用またはトレーニングのために更なる可能性が提案されていない。
【０００４】
本発明は、トレーニング装置および治療用装置として使用するために広範囲の可能性を有する筋刺激装置を創り出すことを目的とする。
【０００５】
この目的は、初めに述べるタイプの筋刺激装置からなる本発明により解決され、ここでは、一つ以上の偏心体が、ハンドル棒の第１の端部から、ハンドル棒の第２の端部からの距離とは異なる距離に位置する共通の重心を有している。このことにより、偏心体を一つだけ使用する場合においても、偏心体をハンドル棒の一方の端部に近接して空洞内に設けることを最も容易に達成することができる。
【０００６】
ＤＥ１９５３２２５４Ｃ１により知られているダンベルにおいては、両方の偏心体の重心が、ダンベル棒の２つの端部の間の中間に配置されている。このため、ダンベル棒は対称的に振動する。本発明による筋刺激装置においては、偏心体の重心（すなわち偏心体の共通の重心）が、ハンドル棒の一方の端部の方に配置されている。このため、使用時にハンドル棒の２つの端部に生じる振動の強さは異なっている。このことにより、本発明による筋刺激装置においては、発生する振動を、ハンドル棒の一方の端部、したがってハンドル棒の対応する端部に取り付けられた一方のヘッドに集中させることができる。このようにして、筋刺激装置は、トレーニング装置としてのダンベルのようなものだけでなく、治療用装置またはマッサージ装置としても用いることができ、筋刺激装置に対応する端部あるいは取り付けられたマッサージヘッドを身体の部分に対して押し付けて振動を伝えることができる。
【０００７】
その心地良くかつ高効率の振動により、本発明による筋刺激装置は、例えばトレーニング用途のため、獣医学および医学用途における予防またはマッサージのため、およびリハビリのために、理学療法および肉体的神経筋の刺激の範囲内で使用することに特に役立つ。
【０００８】
本発明による筋刺激装置のための交換自在なヘッドは、例えば、重さ、サイズ、表面状態、弾力性、およびハンドル棒の振動への連結が所望の用途における要求に適応することにより、特別な用途のために最大限に利用することができる。このため本発明は、本発明による筋刺激装置のための交換自在なヘッドにも関連している。本発明の更なる特徴は、独立した関連性を有し、第１の端部と第２の端部とを有するハンドル棒と、このハンドル棒の空洞内に設けられ、偏心体にモータ軸を介して連結されたモータとを備え、偏心体が偏心していることにより振動する筋刺激装置であって、偏心体がアンバランスであることにより振動状態に置かれるマッサージヘッドがハンドル棒に取り付けられる筋刺激装置に関している。
【０００９】
本発明の更なる詳細および利点が、添付図面を参照しながら典型的な実施の形態に基づいて述べられる。この典型的な実施の形態の特徴は、個別または組み合わせて用いることができ、本発明の好適な実施の形態が創り出される。
【発明を実施するための最良の形態】
【００１０】
図１に示す筋刺激装置１は、第１の端部に、材料結合によってヘッド３が取り付けられたハンドル棒２を備えている。このハンドル棒２の第２の端部に、交換自在なヘッド５を取り付けるための連結部材４が設けられている。示された典型的な実施の形態においては、連結部材４は、交換自在なヘッド５の適切な対応部としてのネジ連結部を形成する雄ネジが構成されている。その他の方法として、連結部材４に、交換自在なヘッド５の適切な対応部としてのプラグ接続部（plug connection）、またはバイオネット接続（bayonet joint）、とりわけバイオネットロック（bayonet lock）を形成することができ、対応して形成される。
【００１１】
図２において、筋刺激装置１のハンドル棒２の一部の長手方向断面が概略的に示されている。管状部材として構成されるハンドル棒２は、モータ６を収容する空洞を有し、このモータ６はモータ軸７によって偏心体８に連結され、偏心体８が偏心していることにより筋刺激装置１および交換自在なヘッド５が振動する。偏心体８は、モータ６と、使用目的により交換自在なヘッドが設けられるハンドル棒２の第２の端部との間に配置されている。このため、偏心体８の重心は、ハンドル棒２の第１の端部から、ハンドル棒２の第２の端部からの距離とは異なる距離に位置している。
【００１２】
偏心体８は、ハンドル棒２内に一つだけ設けられていることが好ましい。しかしながら、基本的には、ハンドル棒２内にいくつかの偏心体８を設けることもできる。この場合、全ての偏心体の共通の重心が、ハンドル棒２の第１の端部から、ハンドル棒２の第２の端部からの距離とは異なる距離離れていることが好ましい。このようにして、偏心体８の回転によって生じる振動を、交換自在なヘッド５が取り付けられるハンドル棒２の第２の端部に集中させることができる。
【００１３】
マッサージヘッド、または固定ヘッド３に対する釣合い重りが、交換自在なヘッド５としてハンドル棒２に取り付けられる。この筋刺激装置は、トレーニング装置としてのダンベルのように、または使用する交換自在なヘッド５の種類に依存するマッサージ装置としてのマッサージヘッドとして使用することができる。このように、心地良い振動によって、トレーニング効果または治療効果を向上させることができる。
【００１４】
偏心体８の重心とハンドル棒２の第１の端部との間の距離は、偏心体８の重心とハンドル棒２の第２の端部との間の距離に対して少なくとも２０％、好ましくは少なくとも４０％、とりわけ好ましくは少なくとも７５％、特に少なくとも１００％異なっている。図１および図２に示す典型的な実施の形態においては、偏心体８の重心は、ハンドル棒２の第１の端部から、ハンドル棒２の第２の端部からの距離の２倍の距離離れている。
【００１５】
生じた振動をできる限り交換自在なヘッド５に伝えるために、ハンドル棒２の直径よりも大きい長さ、好ましくは少なくとも２倍の長さを有する偏心体８を使うことが有効である。とりわけ、偏心体８の長さ、すなわち偏心体８の全長は、ハンドル棒２の長さの少なくとも１０％、好ましくは１５％乃至５０％、とりわけ好ましくは２０％乃至４０％、特に２５％乃至３５％にすることが有効である。
【００１６】
モータ６と偏心体８との間にブラケット１０が設けられ、このことにより、偏心体８により生じた偏心モーメント（unbalance moment）がハンドル棒２に伝わる。同様にして、偏心体８のうちモータ６から離れる方向の側にブラケット１１が設けられ、このことにより、偏心体８により生じた偏心モーメントがハンドル棒２に伝わる。モータ軸７は、偏心体８に対して、ネジ部１２、例えば、グラブネジ（grub screw）によって確実に連結されている。
【００１７】
問題となっているモータ６は電気モータであって、ハンドル棒２の第１の端部を介して電源に接続されている。この目的のために、電源ケーブル１３がヘッド３の前面、またはハンドル棒２の第１の端部を貫通して接続されている。ケーブルを貫通接続する代わりに、ヘッド３に、電源ケーブル１３のプラグを挿入することができる接続ソケットを設けることもできる。このような接続ソケットは、ヘッド３の前面に配置することが有効である。とりわけ、一つ以上の電池を収容する電池ケースを設け、好ましくは管状に形成されたハンドル棒２の空洞内に設けられた電気モータ６に電源を供給することは有効である。このような電池ケースに、電源ケーブル１３を介して常に再充電することができる再充電可能な蓄電池を挿入することができる。
【００１８】
使用時、電気モータ６は、毎秒１００回転より少ない回転速度、好ましくは毎秒２０回転乃至８０回転の回転速度を有している。とりわけ、筋刺激装置１は制御部（図示せず）を有し、回転速度を設定して、１００Ｈｚ以下の生理的に有利な範囲に振動数を設定可能にすることが好ましい。
【００１９】
図３乃至図５に、ハンドル棒２の第２の端部に取り付けることができるさまざまな交換自在なヘッドの典型的な実施の形態が示されている。このことにより、これらの交換自在なヘッド５のそれぞれが、ハンドル棒の連結部材４に対する適切な対応部（図示せず）として特徴付けられる。ハンドル棒２に生じる振動の大きさは、交換自在なヘッド５の大きさおよび重さによって影響され、特別な使用目的のために最適な状態を引き起こすことができる。このことにより、交換自在なヘッドは、固定されたヘッド３に対して形状および重さという点で対応させることができ、筋刺激装置は、振動するダンベル棒を有するダンベルとして使用して、従来のダンベルと比較して、トレーニング効果を向上させることができる。しかしながら、交換自在なヘッド５は、重さ、形状、および材質について固定されたヘッド３とは異なるように選択することができ、とりわけ、ハンドル棒２に対して振動可能に連結されたマッサージヘッドとして使用することができる。特に、木製またはプラスチック表面（plastic surface）、とりわけボブル（bobble）を有するマッサージヘッド５は心地良くなる。
【００２０】
特に、偏心体の幾何学的な回転軸から偏心体の慣性主軸の距離が、使用時に偏心体８が動く円形領域の半径の３０％と８０％との間にある場合、筋刺激装置を効率良くかつ生理的に有効に振動させることができる。この円形領域は、ハンドル棒２内の空洞の内径よりも少し小さい。上述した慣性主軸と偏心体８の幾何学的な回転軸との間の距離は、上述した円形部の半径の３５％と７０％との間、とりわけ好ましくは４０％と６０％との間、特に４０％と５０％との間にあることが好ましい。偏心体８は円柱形状であることが好ましく、このため、その慣性主軸は幾何学的な長手方向軸と一致している。
【００２１】
図６乃至図９に、筋刺激装置１の更なる典型的な実施の形態が示され、基本的に、トレーニング装置にクランプ２０取り付けられている点において前述の典型的な実施の形態とは異なっている。例えば、この種の筋刺激装置１の２つが、ゴム（rubber）または弾性バンド（elastic band）にクランプ２０によって取り付けられているため、エキスパンダーとして使用されている。さらに、筋刺激装置１は、他のトレーニング装置である引張装置（pulling device）にクランプ２０とともに取り付けられ、ハンドル棒２の心地良い振動を、ダンベルトレーニングにおいて張られることがない筋肉の部分のトレーニングに使用することができる。
【００２２】
クランプ２０は、クランプの２つの半分部分２０ａ、２０ｂを連結し、例えば、トレーニング装置のカラビナフック（karabiner hook）を掛けることができる円柱形状の連結ピン２１を有している。
【００２３】
クランプ２０を、ハンドル棒２に容易に取り付けるとともに、再び取り外すことを可能にするため、示された典型的な実施の形態において、交換自在なヘッド５をハンドル棒２の両端に使用することができる。しかしながら、特に材料結合によりハンドル棒２に永続的に取り付けられるヘッドは、図６乃至図９に示された典型的な実施の形態において交換自在なヘッド５と組み合わされて使用されることが好ましい。例えば、クランプ２０は、交換自在なヘッド５を取り外す場合にハンドル棒２を押すことができる２つの開口が設けられていることを特徴としている。クランプ２０は、固定されたヘッド３および交換自在なヘッド５によって使用時にロックされる。このようにして、クランプ２０を、まるで交換自在なヘッド５のように、使用者によってハンドル棒２に容易に取り付けることができるとともに、再び取り外すことができる。
【００２４】
また、図６、７、および９に示すように、クランプ２０に、ハンドル、またはハンドガード２２を同様の方法によりハンドル棒２に取り付けることができる。
【図面の簡単な説明】
【００２５】
【図１】図１は、対応する交換自在なヘッドとともに、本発明による筋刺激装置の典型的な実施の形態を示す側面図である。
【図２】図２は、図１に示された典型的な実施の形態の一部の長手方向断面の概略を示す図である。
【図３】図３は、図１に示された筋刺激装置のための交換自在なヘッドの他の典型的な実施の形態を示す図である。
【図４】図４は、図１に示された筋刺激装置のための交換自在なヘッドの他の典型的な実施の形態を示す図である。
【図５】図５は、図１に示された筋刺激装置のための交換自在なヘッドの他の典型的な実施の形態を示す図である。
【図６】図６は、トレーニング装置に取り付けるためのクランプを有する本発明による筋刺激装置の他の典型的な実施の形態を示す図である。
【図７】図７は、図６に示された典型的な実施の形態の側面図である。
【図８】図８は、図６に示された典型的な実施の形態の他の側面図である。
【図９】図９は、図６に示された典型的な実施の形態の斜視図である。
【符号の説明】
【００２６】
１      筋刺激装置
２      ハンドル棒
３      ハンドル棒の第１の端部に設けられたヘッド
４      連結部材
５      交換自在なヘッド
６      モータ
７      モータ軸
８      偏心体
１０    ブラケット
１１    ブラケット
１２    ネジ部
１３    電源ケーブル
２０    クランプ
２０ａ  クランプの半分部分
２０ｂ  クランプの半分部分
２１    連結ポイント
２２    ハンドガード
【図１】
2009520529.tif 000003
【図２】
2009520529.tif 000004
【図３】
2009520529.tif 000005
【図４】
2009520529.tif 000006
【図５】
2009520529.tif 000007
【図６】
2009520529.tif 000008
【図７】
2009520529.tif 000009
【図８】
2009520529.tif 000010
【図９】
2009520529.tif 000011
【手続補正書】
【提出日】平成19年10月20日(2007.10.20)
【手続補正１】
【補正対象書類名】特許請求の範囲
【補正対象項目名】全文
【補正方法】変更
【補正の内容】
【特許請求の範囲】
【請求項１】
第１の端部と第２の端部とを有するハンドル棒（２）と、
このハンドル棒（２）の空洞内に設けられ、少なくとも一つの偏心体（８）にモータ軸（７）を介して連結されたモータ（６）と、を備え、
偏心体（８）が偏心していることにより振動し、
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられていることを特徴とする筋刺激装置（１）。
【請求項２】
ヘッド（３）は、ハンドル帽（２）の第１の端部に材料結合によって取り付けられていることを特徴とする請求項１に記載の筋刺激装置。
【請求項３】
連結部材（４）が、交換自在なヘッド（５）を取り付けるためにハンドル棒（２）の第２の端部に設けられることを特徴とする請求項１または２に記載の筋刺激装置。
【請求項４】
ハンドル棒（２）の連結部材（４）に対応する対応部を特徴付ける交換自在なヘッド（５）が設けられたことを特徴とする請求項３に記載の筋刺激装置。
【請求項５】
交換自在なヘッド（５）は、マッサージヘッドであり、
マッサージヘッド（５）の使用目的に応じて、マッサージヘッド（５）を押し付けている身体の部分にハンドル棒（２）の振動が伝わることを特徴とする請求項４に記載の筋刺激装置。
【請求項６】
連結部材（４）に、交換自在なヘッド（５）の対応部としてのプラグ接続部が形成されることを特徴とする請求項３乃至５のいずれかに記載の筋刺激装置。
【請求項７】
連結部材（４）に、交換自在なヘッド（５）の対応部としての差し込み継ぎ手、とりわけ差し込みロックが形成されることを特徴とする請求項３乃至６のいずれかに記載の筋刺激装置。
【請求項８】
連結部材（４）に、交換自在なヘッド（５）の対応部としてのネジ連結部が形成されることを特徴とする請求項３乃至７のいずれかに記載の筋刺激装置。
【請求項９】
ハンドル棒（２）の第１の端部を介して電源が接続され、好ましくは、電源ケーブル（１３）が、第１の端部から外部へ貫通する、またはプラグ接続部が第１の端部に設けられて電源ケーブル（１３）に接続されることを特徴とする請求項１乃至８のいずれかに記載の筋刺激装置。
【請求項１０】
第１の端部、または取り付けられたヘッド（３）の前面を介して電源が接続され、好ましくは、電源ケーブル（１３）は前面から外部へ貫通する、またはプラグ接続部が前面に設けられて電源ケーブル（１３）に接続されることを特徴とする請求項９に記載の筋刺激装置。
【請求項１１】
モータ（６）に電源を供給する電池を収容する電池ケースが設けられたことを特徴とする請求項９または１０に記載の筋刺激装置。
【請求項１２】
偏心体（８）の重心とハンドル棒（２）の第１の端部との間の距離は、この偏心体（８）の重心とハンドル棒（２）の第２の端部との間の距離に対して、少なくとも２０％、好ましくは少なくとも４０％、とりわけ好ましくは少なくとも７５％、特に少なくとも１００％異なっていることを特徴とする請求項１乃至１１のいずれかに記載の筋刺激装置。
【請求項１３】
偏心体（８）の重心は、ハンドル棒（２）の第２の端部に近接して配置されていることを特徴とする請求項１乃至１２のいずれかに記載の筋刺激装置。
【請求項１４】
偏心体（８）は、とりわけ一つだけの偏心体が、モータ（６）のうちハンドル棒（２）の第２の端部を向く側に設けられることを特徴とする請求項１乃至１３のいずれかに記載の筋刺激装置。
【請求項１５】
偏心体（８）の長さ、すなわち偏心体の全長は、ハンドル棒（２）の長さの少なくとも１０％、好ましくは１５％乃至５０％、とりわけ好ましくは２０％乃至４０％、特に２５％乃至３５％であることを特徴とする請求項１乃至１４のいずれかに記載の筋刺激装置。
【請求項１６】
モータ（６）と偏心体（８）との間にブラケット（１０）が設けられ、偏心体（８）により生じた偏心モーメントがハンドル棒（２）に伝わることを特徴とする請求項１乃至１５のいずれかに記載の筋刺激装置。
【請求項１７】
偏心体（８）のうちモータ（６）から離れる方向の側にブラケット（１１）が設けられ、偏心体（８）により生じた偏心モーメントがハンドル棒（２）に伝わることを特徴とする請求項１乃至１６のいずれかに記載の筋刺激装置。
【請求項１８】
モータ軸（７）は、偏心体（８）に対して、ネジ部（１２）、好ましくはグラブネジによって連結されていることを特徴とする請求項１乃至１７のいずれかに記載の筋刺激装置。
【請求項１９】
偏心体（８）の幾何学的な回転軸からこの偏心体（８）の慣性主軸の距離が、使用時に偏心体（８）が動く円形領域の半径の３０％と８０％との間、好ましくは、この半径の３５％と７０％との間、とりわけ好ましくは４０％と６０％との間、特に４０％と５０％との間にあることを特徴とする請求項１乃至１８のいずれかに記載の筋刺激装置。
【請求項２０】
ハンドル棒（２）にクランプ（２０）が取り付けられ、トレーニング装置、特に弾性バンドまたは引張装置に固定されていることを特徴とする請求項１乃至１９のいずれかに記載の筋刺激装置。
【請求項２１】
偏心体（８）は、円柱形状であることを特徴とする請求項１乃至２０のいずれかに記載の筋刺激装置。
【請求項２２】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）の重心とハンドル棒（２）の第１の端部との間の距離は、この偏心体（８）の重心とハンドル棒（２）の第２の端部との間の距離に対して、少なくとも２０％異なっていることを特徴とする請求項１乃至２１のいずれか一項および請求項１２に記載の筋刺激装置。
【請求項２３】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）の長さ、すなわち偏心体の全長は、ハンドル棒（２）の長さの２０％乃至４０％であることを特徴とする請求項１乃至２２のいずれか一項および請求項１５に記載の筋刺激装置。
【請求項２４】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
モータ（６）と偏心体（８）との間にブラケット（１０）が設けられ、偏心体（８）により生じた偏心モーメントがハンドル棒（２）に伝わることを特徴とする請求項１乃至２３のいずれか一項および請求項１６に記載の筋刺激装置。
【請求項２５】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）のうちモータ（６）から離れる方向の側にブラケット（１１）が設けられ、偏心体（８）により生じた偏心モーメントがハンドル棒（２）に伝わることを特徴とする請求項１乃至２４のいずれか一項および請求項１７に記載の筋刺激装置。
【請求項２６】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）の幾何学的な回転軸からこの偏心体（８）の慣性主軸の距離が、使用時に偏心体（８）が動く円形領域の半径の３０％と７０％との間にあることを特徴とする請求項１乃至２５のいずれか一項および請求項１９に記載の筋刺激装置。
【請求項２７】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）の重心とハンドル棒（２）の第１の端部との間の距離は、この偏心体（８）の重心とハンドル棒（２）の第２の端部との間の距離に対して、少なくとも２０％異なり、
偏心体（８）の長さ、すなわち偏心体の全長は、ハンドル棒（２）の長さの２０％乃至４０％であることを特徴とする請求項２２および２３に記載の筋刺激装置。
【請求項２８】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
モータ（６）と偏心体（８）との間にブラケット（１０）が設けられ、偏心体（８）により生じた偏心モーメントがハンドル棒（２）に伝わり、
偏心体（８）のうちモータ（６）から離れる方向の側にブラケット（１１）が設けられ、偏心体（８）により生じた偏心モーメントがハンドル棒（２）に伝わることを特徴とする請求項２４および２５に記載の筋刺激装置。
【請求項２９】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）の幾何学的な回転軸からこの偏心体（８）の慣性主軸の距離が、使用時に偏心体（８）が動く円形領域の半径の３０％と７０％との間にあり、
偏心体（８）は、円柱形状であることを特徴とする請求項２６および２１に記載の筋刺激装置。
【請求項３０】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）の重心とハンドル棒（２）の第１の端部との間の距離は、この偏心体（８）の重心とハンドル棒（２）の第２の端部との間の距離に対して、少なくとも２０％異なり、
偏心体（８）の長さ、すなわち偏心体の全長は、ハンドル棒（２）の長さの２０％乃至４０％であり、
モータ（６）と偏心体（８）との間にブラケット（１０）が設けられ、偏心体（８）により生じた偏心モーメントがハンドル棒（２）に伝わり、
偏心体（８）のうちモータ（６）から離れる方向の側にブラケット（１１）が設けられ、偏心体（８）により生じた偏心モーメントがハンドル棒（２）に伝わることを特徴とする請求項２７および２８に記載の筋刺激装置。
【請求項３１】
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられ、
偏心体（８）の重心とハンドル棒（２）の第１の端部との間の距離は、この偏心体（８）の重心とハンドル棒（２）の第２の端部との間の距離に対して、少なくとも２０％異なり、
偏心体（８）の長さ、すなわち偏心体の全長は、ハンドル棒（２）の長さの２０％乃至４０％であり、
モータ（６）と偏心体（８）との間にブラケット（１０）が設けられ、偏心体（８）により生じた偏心モーメントがハンドル棒（２）に伝わり、
偏心体（８）のうちモータ（６）から離れる方向の側にブラケット（１１）が設けられ、偏心体（８）により生じた偏心モーメントがハンドル棒（２）に伝わり、
偏心体（８）の幾何学的な回転軸からこの偏心体（８）の慣性主軸の距離が、使用時に偏心体（８）が動く円形領域の半径の３０％と７０％との間にあり、
偏心体（８）は、円柱形状であることを特徴とする請求項３０および２９に記載の筋刺激装置。
【請求項３２】
請求項１乃至３１のいずれかに記載の筋刺激装置により構成される筋刺激装置（１）用の交換自在なヘッド。
【請求項３３】
筋刺激装置（１）に固定するために、筋刺激装置（１）のハンドル棒（２）の第２の端部に設けられた連結部材（４）に対応する対応部が設けられたことを特徴とする請求項３２に記載の交換自在なヘッド。
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
第１の端部と第２の端部とを有するハンドル棒（２）と、
このハンドル棒（２）の空洞内に設けられ、少なくとも一つの偏心体（８）にモータ軸（７）を介して連結されたモータ（６）と、を備え、
偏心体（８）が偏心していることにより振動し、
一つ以上の偏心体（８）が、ハンドル棒（２）の第１の端部から、ハンドル棒（２）の第２の端部からの距離とは異なる距離に位置する共通の重心を有し、
偏心体（８）は、ハンドル棒（２）の空洞内に設けられていることを特徴とする筋刺激装置（１）。
【請求項２】
ヘッド（３）は、ハンドル帽（２）の第１の端部に材料結合によって取り付けられていることを特徴とする請求項１に記載の筋刺激装置。
【請求項３】
連結部材（４）が、交換自在なヘッド（５）を取り付けるためにハンドル棒（２）の第２の端部に設けられることを特徴とする請求項１または２に記載の筋刺激装置。
【請求項４】
ハンドル棒（２）の連結部材（４）に対応する対応部を特徴付ける交換自在なヘッド（５）が設けられたことを特徴とする請求項３に記載の筋刺激装置。
【請求項５】
交換自在なヘッド（５）は、マッサージヘッドであり、
マッサージヘッド（５）の使用目的に応じて、マッサージヘッド（５）を押し付けている身体の部分にハンドル棒（２）の振動が伝わることを特徴とする請求項４に記載の筋刺激装置。
【請求項６】
連結部材（４）に、交換自在なヘッド（５）の対応部としてのプラグ接続部が形成されることを特徴とする請求項３乃至５のいずれかに記載の筋刺激装置。
【請求項７】
連結部材（４）に、交換自在なヘッド（５）の対応部としての差し込み継ぎ手、とりわけ差し込みロックが形成されることを特徴とする請求項３乃至６のいずれかに記載の筋刺激装置。
【請求項８】
連結部材（４）に、交換自在なヘッド（５）の対応部としてのネジ連結部が形成されることを特徴とする請求項３乃至７のいずれかに記載の筋刺激装置。
【請求項９】
ハンドル棒（２）の第１の端部を介して電源が接続され、好ましくは、電源ケーブル（１３）が、第１の端部から外部へ貫通する、またはプラグ接続部が第１の端部に設けられて電源ケーブル（１３）に接続されることを特徴とする請求項１乃至８のいずれかに記載の筋刺激装置。
【請求項１０】
第１の端部、または取り付けられたヘッド（３）の前面を介して電源が接続され、好ましくは、電源ケーブル（１３）は前面から外部へ貫通する、またはプラグ接続部が前面に設けられて電源ケーブル（１３）に接続されることを特徴とする請求項９に記載の筋刺激装置。
【請求項１１】
モータ（６）に電源を供給する電池を収容する電池ケースが設けられたことを特徴とする請求項９または１０に記載の筋刺激装置。
【請求項１２】
偏心体（８）の重心とハンドル棒（２）の第１の端部との間の距離は、この偏心体（８）の重心とハンドル棒（２）の第２の端部との間の距離に対して、少なくとも２０％、好ましくは少なくとも４０％、とりわけ好ましくは少なくとも７５％、特に少なくとも１００％異なっていることを特徴とする請求項１乃至１１のいずれかに記載の筋刺激装置。
【請求項１３】
偏心体（８）の重心は、ハンドル棒（２）の第２の端部に近接して配置されていることを特徴とする請求項１乃至１２のいずれかに記載の筋刺激装置。
【請求項１４】
偏心体（８）は、とりわけ一つだけの偏心体が、モータ（６）のうちハンドル棒（２）の第２の端部を向く側に設けられることを特徴とする請求項１乃至１３のいずれかに記載の筋刺激装置。
【請求項１５】
偏心体（８）の長さ、すなわち偏心体の全長は、ハンドル棒（２）の長さの少なくとも１０％、好ましくは１５％乃至５０％、とりわけ好ましくは２０％乃至４０％、特に２５％乃至３５％であることを特徴とする請求項１乃至１４のいずれかに記載の筋刺激装置。
【請求項１６】
モータ（６）と偏心体（８）との間にブラケット（１０）が設けられ、偏心体（８）により生じた偏心モーメントがハンドル棒（２）に伝わることを特徴とする請求項１乃至１５のいずれかに記載の筋刺激装置。
【請求項１７】
偏心体（８）のうちモータ（６）から離れる方向の側にブラケット（１１）が設けられ、偏心体（８）により生じた偏心モーメントがハンドル棒（２）に伝わることを特徴とする請求項１乃至１６のいずれかに記載の筋刺激装置。
【請求項１８】
モータ軸（７）は、偏心体（８）に対して、ネジ部（１２）、好ましくはグラブネジによって連結されていることを特徴とする請求項１乃至１７のいずれかに記載の筋刺激装置。
【請求項１９】
偏心体（８）の幾何学的な回転軸からこの偏心体（８）の慣性主軸の距離が、使用時に偏心体（８）が動く円形領域の半径の３０％と８０％との間、好ましくは、この半径の３５％と７０％との間、とりわけ好ましくは４０％と６０％との間、特に４０％と５０％との間にあることを特徴とする請求項１乃至１８のいずれかに記載の筋刺激装置。
【請求項２０】
ハンドル棒（２）にクランプ（２０）が取り付けられ、トレーニング装置、特に弾性バンドまたは引張装置に固定されていることを特徴とする請求項１乃至１９のいずれかに記載の筋刺激装置。
【請求項２１】
偏心体（８）は、円柱形状であることを特徴とする請求項１乃至２０のいずれかに記載の筋刺激装置。
【請求項２２】
請求項１乃至２１のいずれかに記載の筋刺激装置により構成される筋刺激装置（１）用の交換自在なヘッド。
【請求項２３】
筋刺激装置（１）に固定するために、筋刺激装置（１）のハンドル棒（２）の第２の端部に設けられた連結部材（４）に対応する対応部が設けられたことを特徴とする請求項２２に記載の交換自在なヘッド。
【国際調査報告】
2009520529.tif 000012
2009520529.tif 000013
2009520529.tif 000014
2009520529.tif 000015
2009520529.tif 000016
2009520529.tif 000017